(57)【要約】【課題】  従来の介護室は、介護ベット、簡易トイレ、手すり車椅子、歩行訓練器を配設されていた。要介護者は、身体不自由によりベットに寝たきりの状態で入浴、トイレ、台所に行くことで容易でなくなり、介護人等の介助が必要であった、本発明は要介護者を自分で自主的に行動できる喜びを与えるものである。【解決手段】一人又は複数の要介護者が自力にてルームの天井付近に配設した多数のガイドシャフト又はパイプにライナーブッシュを付けこれに多数のワイヤーを連結し、これに吊り下げ器具を多数つけることにより、室内に設置される台所、トイレ、浴室に自由に移動可能であり、共同使用も可能である手法である。【選択図】図５
2015188578.tif 000002
【特許請求の範囲】
【請求項１】
室内の対向する壁面上部である天井付近に多数のガイド用シャフト又はパイプにライナーブッシュを取り付け、このガイド用シャフト又はパイプに垂直に交わる方向へ多数のワイヤーをライナーブッシュに連結し、これに多数の吊り下げ器具をセットし、一人又は複数の要介護者が天井付近に配設されたガイドシャフト又はパイプとワイヤーに囲まれた範囲で自由に移動する事を可能とすることが特徴である室内用歩行補助装置。
【発明の詳細な説明】
【技術分野】
【０００１】
本発明は、歩行補助装置であり、要介護者が自力にて補助具を使用して移動するための装置である。主に、要介護者又は身体障害者用に用い、要介護人が自由に移動可能で要介護人に合った補助具を多数つけておけば、介助人なしで自力で行動できる。
【背景技術】
【０００２】
従来の介護用の走行・歩行補助装置は、例えば特開２０００−３５０７５０号や特開平１０−９４５７１号がある。前者は  重度の要介護者向けであり、後者は一方向の前後移動だけで左右には移動できない。
【先行技術文献】
【特許文献】
【０００３】
【特許文献１】特開２０００−３５０７５０号公報
【特許文献２】特開平１０−９４５７１号公報
【発明の概要】
【発明が解決しようとする課題】
【０００４】
本発明は、要介護者が自力にて移動でき、トイレ、台所、風呂等に移動できる歩行補助装置を提供する。
従来の介護室は、介護ベット、簡易トイレ、手すり車椅子、歩行訓練器を配設されていた。  要介護者は、身体不自由によりベットに寝たきりの状態で入浴、トイレ、台所に行くことで容易でなくなり、介護人等の介助が必要であった、本発明は要介護者を自分で自主的に行動できる喜びを与えるものである。
従来の居室は、ベット、トイレ、手すり、車椅子、歩行器などが配設されていた要介護者はベットで寝たきりになりやすく、トイレや入浴など介助人の助けが必要で、介助人や気配りに問題があった。
【課題を解決するための手段】
【０００５】
本発明はこのような不便をなくすためになされるもので、要介護者が、自力で、室内、トイレ、浴室、台所まで自由に移動できるように考えられた吊り下げ手法である。
本発明は、自主的に生きる行動力を蘇らせることにより、要介護者は、室内、トイレ、台所、浴室に合った多数の介助補助器を吊り下げておけば、自分に合った補助具を選んで行動することが出来る。
【０００６】
又、要介護者同士が互いに協力し合うことで、介助人の負担を軽くすることができる。
上記手法を実現する為、本発明は次のような構成としている。
室内の天井付近の一側面と平行な他側面とに夫々ガイドシャフトを設け、そのガイドシャフト上を自在に移動可能に取り付けられたライナーブッシュと、そのライナーブッシュ間にワイヤーを張り渡して、そのワイヤー上には自在に動く吊り下げ器具を取り付けてなる歩行補助装置であって、要介護者が吊り下げ器具により支持されることによって室内を自由に移動可能とする装置である。
【０００７】
介護者に合った多数の介護器具を取り付けることができる為、要介護者は自助努力することが可能となり、介助人の負担を著しく軽減する事が可能である  
上記不具合をなくす為、本発明は次のような構成としている。請求項１に記載した吊り下げ手法は、歩行用で、前後に移動可能な要介護者を吊り下げる器具をセットできる。ワイヤーの先端をこのワイヤーの垂直に交わる方向に対向する壁面上部である天井付近に配設された多数のガイドシャフトに多数のライナーブッシュを組み込み、これに多数のワイヤーを連結し、多数の吊り下げ器具を取り付けができることにより、ガイドシャフトとワイヤーに囲まれた範囲内を自由に３６０度移動することができることが特徴である。
【発明の効果】
【０００８】
以上、説明したように本発明は一方向の移動でなく、３６０度自由に移動でき、ワイヤーに吊り下げた多数の補助器具により、自分に合った補助具をつければ、介助人なしで行動できる。また、室内にトイレ、浴室、台所を設置すれば、複数の人が共同利用でき、もう、1室と連結すれば軽作業も可能となる。
又、介助人の負担も軽減し要介護者のリハビリに有効であるライナーブッシュが不具合が出来ても簡単に交換でき、市販品の部品をストックしておけば、簡単に直せる。
介護の軽減、利用者の維持費用軽減に絶大な効果がある。
ガイドシャフトとワイヤー内に要介護者及び障害者に合った、器具を設置すれば介助人の負担が軽減され、又、吊り下げ器具の改良や発明に弾みがつき医療費の抑制に役立つものと思う。
【図面の簡単な説明】
【０００９】
【図１】介護用天井平行リフト装置の従来例
【図２】歩行補助装置の従来例
【図３】本発明の平面図
【図４】本発明の側面図
【図５】本発明の斜視図
【図６】本発明が適用される室内の説明図
【図７】ライナーブッシュとワイヤーの組立図
【図８】ガイドシャフトとガイドシャフト取付金具の組立図
【図９】付替え用吊り下げ具の組立図
【図１０】トイレ・浴室内で移動できる天井装置
【発明を実施するための形態】
【００１０】
次に本発明の実施形態を添付図面に基づきさらに詳細に説明する。図５は本発明の歩行補助装置の代表的実施形態を示す概念図であり、図３と図４はその詳細を示している。図中符号Ａは要介護者室、Ｂは要介護者、Ｃはベッド、Ｄはトイレ、Ｅは浴室、Ｆは台所である。また２６は天井ガイドシャフト、２５はワイヤー、１８は付替え用吊り下げ具、１９は滑車を示している。本明細書で使用するＸ方向及びＹ方向は図５に示している。
本発明の歩行補助装置を装備する要介護者室Ａは、壁面パネルと天井パネル（共に図示せず。）を装着した略直方体のものである。
図３で示すように本発明は要介護者や身体障害者が、天井付近に配設された多数のガイドシャフト２６とのスパン間にガイドシャフトが垂直に交わる方向へ多数のワイヤー２５が配設され、ガイドシャフトとワイヤーに囲まれた範囲内を自由に３６０度移動する事が可能でルーム内に設置されるトイレ、台所、浴室を使用する事が出来る。
図５の本発明の介護用の歩行補助装置は、歩行用で前後に移動可能な要介護者を吊り下げる器具をセットできるワイヤーの先端をこのワイヤーに垂直に交わる方向に対向する壁面上部である天井付近に配設された多数のガイドシャフトに多数のライナーブッシュを組み込み、これに多数のワイヤーを連結し、多数の吊り下げ器具を取り付ける事が出来ることによりガイドシャフトとワイヤーに囲まれた範囲内を自由に移動する事が出来る。
図５は本発明平面図３の透視図である歩行で前後移動できる要介護者を吊り下げる器具をセットできるワイヤーの両サイド先端をこのワイヤーに垂直に交わる方向に対向する壁面上部である天井付近に配設されたガイドシャフトのライナーブッシュにセットすることにより自由に360度移動可能になりガイドシャフトとワイヤーに囲まれた範囲内を自由に移動できるため、本人の自力でトイレ、浴室、台所が利用できる。
図６は室内の配置図である。
図７はライナーブッシュにワイヤーを取り付けた組立図である。ライナーブッシュ２０にカラー２４を３枚嵌め込み、両サイドをスナップリング２７を嵌め込み、脱落防止とした。そしてカラーとカラーの間にワイヤー２５を掛けた。ワイヤーの取り付けは、市販品の玉掛ワイヤーを使用することも可能である。２本掛けを基本とするが、軽度の荷重であれば１本掛けでも対応できる。
図８はガイドシャフト取付金具２１とガイドシャフト２６を組み立て、ライナーブッシュ２０を組み込んだものである。ガイドシャフトの両端に抜け防止ボルト２２を取り付け、落下防止とした。２３のガイドブッシュは丸材の金属や樹脂にガイドシャフトが入る穴を明けたものである。これは２０のライナーブッシュの内面にベアリングの玉が入っているため動きが良すぎて危険なことがあるので、２３の部品は素材のままで滑りを抑えて移動できるようにしたものである。
さらに２１のガイドシャフト取付金具はガイドシャフト取付穴を交互にずらすことによりシャフトとシャフトの間を広げることによりライナーブッシュの移動が干渉しなくなり、狭い空間を広く使うことができる。
図９は、図５のＹ方向へ移動するとき、吊り下げ具がワイヤー２５に接触して移動できないときは、吊り下げ具を外して移動可能なワイヤーに付け替える事で移動可能となる吊り下げ器具である。３２，３６は交換用の車で、３４、３５は落下防止用のボルトとナットである。３３は着脱を可能にするシャフトである。そして３２，３６の交換用車は金属か樹脂で作るが、または市販品でもよい。３７は角材で樹脂やゴム等で作り、この部品は角材の底辺の中心上線にワイヤー上の動く方向へワイヤー用の溝を作り、その対角する面に穴をあけ、３３のシャフトに取り付ける。またこの角材がワイヤー上で移動するとき、角材の溝の長さでブレーキの効きめが変わるので効き具合に合わせて長さを決める。これはベッドから起きる時や動いては困る時に使う。
【００１１】
図示しないが、トイレや浴室に入るとき、入る向きの天井の端から奥のほうへ天井に十字型に切り溝を入れ、吊り下げ金具が通る通路を作れば、要介護者はワイヤーに吊り下がったまま外から自由にトイレや浴室に入ることができ、十字型に前後左右に移動できる。
図１０はトイレや浴室の天井に大きめに切りぬいた円形の穴をくりぬき、この穴に合わせてパイプ等で円形の枠を作り、この枠に布やビニールやポリエチレンで作られた長方形の袋を作り、この袋の口のあいたほうにパイプ等で作られた枠にこの袋を巻きつけ天井に設置する。そして反対側の穴のあいてない方の袋の頂点の中心に小さな穴をあけ、そこへ吊り下げ金具１８のシャフトに袋の穴を通して紐で袋をシャフトに縛り固定する。これで室内の湿気や匂いが防げる。そして自由に室内を移動できる。吊り下げ具を使用していないときは、外しておけば他のワイヤーの移動を妨げない。また長い袋にすると移動する範囲が広がる。また図示しないが他の実施例として、トイレや浴室の天井に布やビニール等の材質のフィルム３８を取り付け板３９に挟んで密閉し、この取り付け板３９を天井に配置して、このフィルムの中央に小さな穴をあけ、この穴を通してこれに吊り下げ金具１８を取り付け板３９の上方に配置されたワイヤーに取付けて吊り下げることも可能である。
【符号の説明】
【００１２】
Ａ  要介護室
Ｂ  要介護者
Ｃ  ベッド
Ｄ  トイレ
Ｅ  浴槽
Ｆ  台所
１８  付替え用滑車と吊り下げ具
１９  滑車
２０  ライナーブッシュ
２１  ガイドシャフト取付金具
２２  抜け防止用ボルト
２３  ガイドブッシュ
２４  カラー
２５  ワイヤー
２６  ガイドシャフト
２７  スナップリング
２９  アルミスリーブ
３０  ガイドシャフト取付金具を取り付ける穴
３２  交換用車
３３  シャフト又はパイプ
３４  ボルト
３５  ナット
３６  交換用車
３７  交換用角材
３８  フィルム袋
３９  フィルム袋を取り付ける枠
【図１】
2015188578.tif 000003
【図２】
2015188578.tif 000004
【図３】
2015188578.tif 000005
【図４】
2015188578.tif 000006
【図５】
2015188578.tif 000007
【図６】
2015188578.tif 000008
【図７】
2015188578.tif 000009
【図８】
2015188578.tif 000010
【図９】
2015188578.tif 000011
【図１０】
2015188578.tif 000012